(57)【特許請求の範囲】
【請求項１】
機器の内側に配置される内部端子と外側に配置される外部端子とを電気的に接続する接続部の構造において、
機器に取り付けられる本体部と前記本体部に対向するように前記本体部に連結された対向部とを有し、前記本体部と前記対向部との間に前記内部端子を収容するための内部端子収容部が形成され、前記本体部に前記内部端子収容部と機器の外側とを連通する連通孔が形成され、前記対向部にボルト及びナットのうちの一方を回転しないように保持するための保持部が形成された端子台と、
一端が前記内部端子収容部内に位置し且つ他端が機器の外側を臨むように前記端子台の連通孔に挿入されると共に前記一端と前記他端との間に貫通孔が形成された導電部と
を備え、前記内部端子収容部内で前記導電部の前記一端と前記端子台の前記対向部との間に前記内部端子を収容すると共に前記導電部の前記他端に前記外部端子を当接させた状態で前記導電部の前記貫通孔に前記ボルトを通し、前記端子台の保持部に保持されている前記ボルト及びナットのうちの一方に対して機器の外側から前記ボルト及びナットのうちの他方を締結することにより前記導電部を介して前記内部端子と前記外部端子とが電気的に接続されることを特徴とする端子接続部構造。
【請求項２】
前記端子台の前記対向部には、前記ボルトの頭部を挿入して係合するための多角形状の凹部が前記保持部として形成されている請求項１に記載の端子接続部構造。
【請求項３】
前記端子台の前記対向部の前記保持部に、前記ナットが埋設されて固定されている請求項１に記載の端子接続部構造。
【発明の詳細な説明】
【技術分野】
【０００１】
この発明は、端子接続部構造に係り、特に機器の内側に配置される内部端子と外側に配置される外部端子とを接続する接続部の構造に関する。
【背景技術】
【０００２】
従来から、図５に示されるような端子接続部が知られている。電子機器のケーシング等からなる取り付け部１に取り付けられた樹脂製の端子台２を導電部３が貫通し、導電部３の上端にボルト４を用いて外部端子５が接続されると共に、導電部３の下端にボルト６を用いて内部端子７が接続されている。これにより、取り付け部１の外側において外部端子５に接続されているケーブル８と取り付け部１の内側において内部端子７に接続されているケーブル９とが導電部３を介して互いに電気的に接続される。
また、図６に示されるように、端子台２を貫通する導電部１０の上端及び下端にそれぞれ突出形成された雄ネジ部１０ａ及び１０ｂにナット１１及び１２を螺合することにより外部端子５及び内部端子７を導電部１０に接続する構造の端子接続部も使用されている。
【０００３】
しかしながら、上述のそれぞれの端子接続部では、ボルト６またはナット１２が取り付け部１の内側に位置しているため、メンテナンス時などにボルト６またはナット１２を緩み防止のために締め直す際には、この機器を分解する必要があり、メンテナンスに手間及び時間がかかってしまう。
また、図５または図６に示されるように、取り付け部１の内側のボルト６またはナット１２の近傍に電子機器の内蔵部品またはケーシングの壁Ｗ等が位置すると、ボルト６またはナット１２を締め付けるための電動工具等を挿入するスペースがないため、組み付け作業が困難であるという問題があった。
【０００４】
また、例えば特許文献１にも、端子台を貫通するパイプ状ネジの上側及び下側にそれぞれ対応するネジにより端子を固定することにより、双方の端子間の接続を行う接続部構造が開示されている。
【０００５】
【特許文献１】特開平７−２９８５４３号公報
【発明の開示】
【発明が解決しようとする課題】
【０００６】
この特許文献１の接続部構造においても、図５あるいは図６に示した端子接続部と同様に、メンテナンスに手間及び時間がかかると共に組み付け作業が困難であるという問題があった。
【０００７】
この発明はこのような問題点を解消するためになされたもので、メンテナンスを容易にすると共に組み付け性を向上させることができる端子接続部構造を提供することを目的とする。
【課題を解決するための手段】
【０００８】
この発明に係る端子接続部構造は、機器の内側に配置される内部端子と外側に配置される外部端子とを電気的に接続する接続部の構造において、機器に取り付けられる本体部と本体部に対向するように本体部に連結された対向部とを有し、本体部と対向部との間に内部端子を収容するための内部端子収容部が形成され、本体部に内部端子収容部と機器の外側とを連通する連通孔が形成され、対向部にボルト及びナットのうちの一方を回転しないように保持するための保持部が形成された端子台と、一端が内部端子収容部内に位置し且つ他端が機器の外側を臨むように端子台の連通孔に挿入されると共に一端と他端との間に貫通孔が形成された導電部とを備え、内部端子収容部内で導電部の一端と端子台の対向部との間に内部端子を収容すると共に導電部の他端に外部端子を当接させた状態で導電部の貫通孔にボルトを通し、端子台の保持部に保持されているボルト及びナットのうちの一方に対して機器の外側からボルト及びナットのうちの他方を締結することにより導電部を介して内部端子と外部端子とが電気的に接続されるものである。
【０００９】
端子台の対向部に、ボルトの頭部を挿入して係合するための多角形状の凹部を保持部として形成することができる。
また、端子台の対向部の保持部に、ナットが埋設して固定することもできる。
【発明の効果】
【００１０】
この発明によれば、メンテナンスを容易にすると共に組み付け性を向上させることが可能となる。
【発明を実施するための最良の形態】
【００１１】
以下、この発明の実施の形態を添付図面に基づいて説明する。
実施の形態１．
図１にこの発明の実施の形態１に係る端子接続部構造を示す。電子機器のケーシング等からなる取り付け部１に、端子台２１の本体部２２が取り付けられている。端子台２１の本体部２２には、この本体部２２よりも取り付け部１の内側に位置して本体部２２に対向する対向部２３が連結されており、これら本体部２２と対向部２３との間に形成された内部端子収容部２４内に内部端子７が挿入されて収容されている。
【００１２】
端子台２１の本体部２２には、内部端子収容部２４と取り付け部１の外側とを連通する連通孔２５が形成されると共に、この連通孔２５に銅等からなる円筒状の導電部２６が挿入されている。導電部２６の下端は内部端子収容部２４内に突出して内部端子７に当接すると共に、導電部２６の上端は取り付け部１の外側に突出しており、導電部２６の上端と下端との間に貫通孔が形成されている。また、導電部２６の上端に当接するように外部端子５が配置されている。端子台２１の対向部２３には、本体部２２に対向する面とは反対側の面に、保持部としての凹部２７が形成されており、対向部２３にはこの凹部２７と内部端子収容部２４とを連通する貫通孔が形成されている。また、内部端子７及び外部端子５にもそれぞれ貫通孔が形成されている。
【００１３】
六角形状の頭部を有するボルト２８が、取り付け部１の内側から端子台２１の対向部２３の凹部２７及び貫通孔に通されると共に、内部端子７、導電部２６及び外部端子５のそれぞれの貫通孔に通されており、取り付け部１の外側に突出されたボルト２８の先端にナット２９が締結されることで外部端子５、導電部２６及び内部端子７が互いに一体に連結されている。これにより、取り付け部１の外側において外部端子５に接続されているケーブル８と、取り付け部１の内側において内部端子７に接続されているケーブル９とが、導電部２６を介して互いに電気的に接続されている。
【００１４】
また、ボルト２８の頭部は、端子台２１の対向部２３の凹部２７内に位置しているが、対向部２３の凹部２７は、図２に示されるように、ボルト２８の頭部に対応する六角形状を有している。ボルト２８の頭部がこの凹部２７内に挿入されると、ボルト２８の頭部が凹部２７の内壁面に係合することによりボルト２８の軸回りの回転が禁止される。
なお、端子台２１は絶縁性を有する樹脂等から形成されている。
【００１５】
この端子接続部の組み付け時には、端子台２１の内部端子収容部２４内に内部端子７を挿入して収容し、端子台２１の本体部２２の連通孔２５に導電部２６を挿入してその下端を内部端子収容部２４内の内部端子７に当接させると共に、導電部２６の上端に外部端子５を当接させる。その状態で、取り付け部１の内側からボルト２８を端子台２１の対向部２３の凹部２７に挿入してこの対向部２３の貫通孔に通すと共に、内部端子７、導電部２６及び外部端子５のそれぞれの貫通孔に順次通すことにより、ボルト２８の先端を取り付け部１の外側に突出させると共にボルト２８の頭部を対向部２３の凹部２７に挿入する。さらに、ボルト２８の先端にナット２９を締結することにより、外部端子５、導電部２６及び内部端子７を互いに一体に連結する。これにより、外部端子５と内部端子７が導電部２６を介して電気的に接続される。
【００１６】
以上のような構成を有する端子接続部構造では、ボルト２８の頭部が端子台２１の対向部２３に形成された凹部２７に挿入されることによりボルト２８が回転しないように保持されるため、取り付け部１の外側に位置するボルト２８の先端に対しナット２９を螺合して締結することができ、これにより外部端子５、導電部２６及び内部端子７を互いに一体に連結して電気的に接続することができる。
したがって、メンテナンス時などに取り付け部１の外側に位置するナット２９をボルト２８に対して締め直すことにより、導電部２６に対する外部端子５及び内部端子７の双方の連結状態を改めて強固にすることができ、これにより、ナット２９の緩みに起因した外部端子５及び内部端子７の導電部２６に対する接続不良等を防止することができる。このように、メンテナンスを容易に行うことができる。
【００１７】
また、一組のボルト２８及びナット２９により、外部端子５、導電部２６及び内部端子７を一度に連結することができるため、従来のように２つのボルトまたは２つのナットを用いて導電部の上端と下端にそれぞれ外部端子５と内部端子７を連結する場合に比べて、組み付け工数を低減することができる。
また、図１に示されるように、端子台２１の対向部２３の下部近傍に電子機器の内蔵部品またはケーシングの壁Ｗ等が位置する場合でも、取り付け部１の外側に位置するボルト２８の先端に電動工具等を使用してナット２９を締結することができ、これにより組み付け作業を容易に且つ短時間で行うことができる。
このように、組み付け性を向上させることができる。
【００１８】
実施の形態２．
次に図３を参照して、この発明の実施の形態２に係る端子接続部構造を説明する。この実施の形態２は、図１に示した実施の形態１の端子接続部構造において、端子台２１の本体部２２に形成された連通孔２５とこの連通孔２５に挿入される導電部３１との間にＯリング３２を配置したものである。ここで、導電部３１にはその外周部に環状の収容溝が形成されている。この導電部３１の収容溝にＯリング３２を取り付けた状態で、導電部３１を端子台２１の本体部２２の連通孔２５に挿入すると、Ｏリング３２が本体部２２の連通孔２５の内壁に当接することで防水性が確保され、これにより取り付け部１の内側に水が浸入することが防止される。
【００１９】
なお、上述の実施の形態１及び２において、六角形状の頭部を有するボルト２８の代わりに、その他の多角形状の頭部を有するボルトを用いることもできる。その場合に、端子台２１の凹部２７もボルトの頭部に対応する多角形状に形成し、ボルトの頭部を凹部２７に挿入することでボルトの軸回りの回転が禁止されるように構成することができる。
【００２０】
実施の形態３．
次に図４を参照して、この発明の実施の形態３に係る端子接続部構造を説明する。この実施の形態３は、図１に示した実施の形態１の端子接続部構造において、ボルト２８が回転しないように保持する代わりに、端子台４１の対向部４２によりキャップナット４３を回転しないように保持するものである。すなわち、端子台４１は、取り付け部１に取り付けられる本体部２２と、この本体部２２に対向するように本体部２２に連結された対向部４２を有し、対向部４２内にキャップナット４３が埋設されてその軸回りの回転が禁止されている。この対向部４２におけるキャップナット４３が埋設される部分が保持部としての機能を果たしている。
【００２１】
キャップナット４３は、その軸方向の一端に形成されるほぼ半球状のキャップを有しており、キャップが設けられていないキャップナット４３の軸方向の他端が本体部２２に対向するように配置されている。また、対向部４２の本体部２２に対向する面には、キャップナット４３の軸方向の他端に連通する貫通孔が形成されている。
【００２２】
端子台４１の本体部２２と対向部４２との間に形成された内部端子収容部２４内に内部端子７を挿入して収容し、端子台４１の本体部２２の連通孔２５に導電部２６を挿入してその下端を内部端子収容部２４内の内部端子７に当接させると共に、導電部２６の上端に外部端子５を当接させる。その状態で、取り付け部１の外側からボルト２８を外部端子５、導電部２６及び内部端子７のそれぞれの貫通孔に順次通して、ボルト２８の先端を対向部４２の貫通孔に挿入してキャップナット４３に締結することにより、外部端子５、導電部２６及び内部端子７を互いに一体に連結する。これにより、外部端子５と内部端子７が導電部２６を介して電気的に接続される。
【００２３】
ここで、キャップナット４３は端子台４１の対向部に埋設されて回転しないように保持されているため、取り付け部１の外側に位置するボルト２８の頭部を操作してボルト２８を回転させることで、ボルト２８の先端をキャップナット４３に対し螺合して締結することができ、これにより外部端子５、導電部２６及び内部端子７を互いに一体に連結して電気的に接続することができる。
【００２４】
したがって、メンテナンス時などに取り付け部１の外側に位置するボルト２８の頭部を操作してボルト２８をキャップナット４３に対して締め直すことにより、導電部２６に対する外部端子５及び内部端子７の双方の連結状態を改めて強固にすることができる。
また、一組のボルト２８及びキャップナット４３により、外部端子５、導電部２６及び内部端子７を一度に連結することができると共に、図４に示されるように、端子台４１の対向部４２の下部近傍に電子機器の内蔵部品またはケーシングの壁Ｗ等が位置する場合でも、取り付け部１の外側から電動工具等によりボルト２８をキャップナット４３に対して締結することができ、組み付けを容易に且つ短時間で行うことができる
したがって、上述の実施の形態と同様に、メンテナンスを容易に行うことができると共に組み付け性を向上させることができる。
【００２５】
加えて、この実施の形態３では、端子台４１の対向部４２にキャップナット４３が埋設されているため、端子台４１の対向部４２と電子機器の内蔵部品またはケーシングの壁Ｗ等との隙間が僅かしか形成されていなくても、キャップナット４３に対して取り付け部１の外側からボルト２８を締結して組み付けを行うことができ、この電子機器の小型化を図ることができる。
【００２６】
なお、この実施の形態３においても、実施の形態２の端子接続部構造のように、端子台４１の本体部２２の連通孔２５に、外周部にＯリングが取り付けられた導電部を挿入することもできる。このように構成すれば、Ｏリングにより防水性が確保され、取り付け部１の内側に水が浸入することが防止される。
【００２７】
なお、上述の実施の形態１〜３における導電部２６及び３１は、銅の代わりに、アルミから形成することもできる。
また、ボルト２８、ナット２９及びキャップナット４３は、金属から形成されてもよいし、樹脂等から形成されてもよい。
また、端子台２１の本体部２２と対向部２３、及び端子台４１の本体部２２と対向部４２とは互いに一体成形されていたが、本体部２２と対向部２３，４２を別々の部品から形成し、ボルト等を用いてそれらを互いに連結して端子台２１，４１を形成することもできる。
【００２８】
この発明は、モータ及びその他各種の電子機器の端子接続部に適用することができる。
また、電源供給のための端子接続部、信号伝送のための端子接続部等、各種の端子接続部への適用が可能である。
例えば、３相構成のインバータ主回路において、３相に対応する３つ内部端子と３つの外部端子との間をそれぞれ、この発明の端子接続部構造を用いて接続することができる。
【図面の簡単な説明】
【００２９】
【図１】この発明の実施の形態１に係る端子接続部構造を示す断面図である。
【図２】実施の形態１における端子台を示す斜視図である。
【図３】実施の形態２に係る端子接続部構造を示す断面図である。
【図４】実施の形態３に係る端子接続部構造を示す断面図である。
【図５】従来の端子接続部構造を示す断面図である。
【図６】従来の別の端子接続部構造を示す断面図である。
【符号の説明】
【００３０】
１  取り付け部、５  外部端子、７  内部端子、８，９  ケーブル、２１，４１  端子台、２２  本体部、２３，４２  対向部、２４  内部端子収容部、２５  連通孔、２６，３１  導電部、２７  凹部、２８  ボルト、２９  ナット、３２  Ｏリング、４３  キャップナット、Ｗ  壁。
【図１】
0004811374.tif 000002
【図２】
0004811374.tif 000003
【図３】
0004811374.tif 000004
【図４】
0004811374.tif 000005
【図５】
0004811374.tif 000006
【図６】
0004811374.tif 000007